(57)【要約】      （修正有）【課題】指の爪を洗浄する機器を提供する。【解決手段】機器１０は、ユーザーの指の爪４４が入れられる、チャンバー６０；研磨粉４０の噴射４２をもたらすための、コンプレッサー２２；および研磨粉の噴射４２を、チャンバー６０に入れられたときの指の爪４４の表面上に向けるための、第１ノズル３０、を含む。これによって、マニキュア液を塗るための前工程として、指の爪４４の表面を洗浄する及び／又は研磨粉４０によって指の爪４４の表面を粗面処理することができる。【選択図】図１
0003195361.tif 000002
【実用新案登録請求の範囲】
【請求項１】
指の爪を洗浄する機器（１０）であって、該機器は、
ユーザーの指の爪（４４）が入れられる、チャンバー（６０）、
研磨粉（４０）の噴射（４２）をもたらすための、コンプレッサー（２２）、および
前記研磨粉の噴射（４２）を、前記チャンバー（６０）に入れられたときの指の爪（４４）の表面上に向けるための、第１ノズル（３０）、を含み、
これによって、マニキュア液を塗るための前工程として、指の爪（４４）の表面を洗浄する及び／又は研磨粉（４０）によって指の爪（４４）の表面を粗面処理することができる、指の爪を洗浄する機器（１０）。
【請求項２】
前記研磨粉の噴射（４２）を指の爪（４４）上に向けるための、前記第１ノズル（３０）を誘導する、ガイド構造（１８、３８）をさらに含み、
それによって、指の爪（４４）上のみに研磨粉（４２）を吹き付ける、請求項１に記載の指の爪を洗浄する機器（１０）。
【請求項３】
前記ガイド構造（１８、３８）が、
トラック（１８）を含み、それに沿って前記第１ノズル（３０）を誘導する、請求項２に記載の指の爪を洗浄する機器（１０）。
【請求項４】
前記ガイド構造（１８、３８）が、
各指の爪（４４）の位置を決定するための、手（２６）の剛性の固定されたテンプレート（３８）を含む、請求項２に記載の指の爪を洗浄する機器（１０）。
【請求項５】
前記ガイド構造（１８、３８）が、
各指の爪（４４）の位置を決定するための、手（２６）の剛性の固定されたテンプレート（３８）を含み、ここで、前記剛性の固定されたテンプレート（３８）が、前記トラック（１８）に物理的に対応する、請求項３に記載の指の爪を洗浄する機器（１０）。
【請求項６】
前記トラック（１８）に対する前記剛性の固定されたテンプレート（３８）の物理的な対応が、前記トラック（１８）の物理的な補助的トラック（１８Ａ、１８Ｅ）を包含し、その各々が、前記テンプレート（３８）の１つの補助的テンプレート（３８Ａ、３８Ｅ）の上に配置される、請求項５に記載の指の爪を洗浄する機器（１０）。
【請求項７】
指の爪（４４）のみを晒すためのグローブ（２６）をさらに含み、それによって、研磨粉（４２）からユーザーを保護する、請求項１に記載の指の爪を洗浄する機器（１０）。
【請求項８】
前記第１ノズル（３０）を通して液体（５２）を分配するための、液体ディスペンサー（５０）をさらに含み、それによって、指の爪（４４）上に液体（５２）を分配する、請求項１に記載の指の爪を洗浄する機器（１０）。
【請求項９】
液体（５２）を分配するための、液体ディスペンサー（５０）、および
分配された前記液体（５２）を通して送達するための、第２ノズル（５４）をさらに含み、それによって、指の爪（４４）の上に液体（５２）を分配する、請求項１に記載の指の爪を洗浄する機器（１０）。
【請求項１０】
研磨粉（４２）のためのクローズドコースをさらに含み、それによって、研磨粉（４２）を再利用する、請求項１に記載の指の爪を洗浄する機器（１０）。
【考案の詳細な説明】
【技術分野】
【０００１】
本考案は、爪磨きの分野に関する。より具体的には、本考案は、磨く前に爪を洗浄するための機器に関する。
【背景技術】
【０００２】
マニキュア液は、爪甲を装飾する且つ保護するためにヒトの指に塗られるラッカーである。今日のマニキュア液は、車両上の塗料に類似した洗練されたバージョンである。しかしながら、その調合は、爪の自然な動きとともに生じる割れ又ははがれを予防するために繰り返し修正されてきた。
【０００３】
マニキュア液は、有機溶剤であるが、油、香水および染料を含んでもよい、マニキュア落とし又はネイルパッドで取り除かれる。マニキュア落としのパッケージは、リムーバーに浸された個々のフェルトパッド、綿ボールまたは綿パッドとともに使用され得る液体リムーバーのボトル、および指を挿入して、マニュキュア液が落ちる（ｔｈｅ ｐｏｌｉｓｈ ｃｏｍｅｓ ｏｆｆ）までひねること（ｔｗｉｓｔｉｎｇ）によって使用され得る、フォームを充填された容器さえ含み得る。
【０００４】
マニキュア落としの最も一般的なタイプは、揮発性有機化合物アセトンを含んでいる。
それは強力で有効である。
（ｈｔｔｐ：／／ｅｎ．ｗｉｋｉｐｅｄｉａ．ｏｒｇ／ｗｉｋｉ／Ｎａｉｌ＿ｐｏｌｉｓｈから）
【０００５】
しかしながら、マニキュア落としは、アセトンが、皮膚および爪に不快感を与えて（ｈａｒｓｈ）、それらをより脆くしていることに加えて、有毒であるという点で不都合である。
【０００６】
本考案の目的は、爪を洗浄するための、特に化学化合物なしで、マニキュア液を取り除くための機器を提供することである。
【０００７】
本考案のさらなる目的は、存在する層を取り替えることを含む、爪を好都合に磨くための機器を提供することである。
【考案の概要】
【課題を解決するための手段】
【０００８】
指の爪を洗浄する機器（１０）であって、該機器は：ユーザーの指の爪（４４）が入れられる、チャンバー（６０）；研磨粉（４０）の噴射（４２）をもたらすための、コンプレッサー（２２）；および研磨粉の噴射（４２）を、チャンバー（６０）に入れられたときの指の爪（４４）の表面上に向けるための、第１ノズル（３０）、を含み、これによって、マニキュア液を塗るための前工程として、指の爪（４４）の表面を洗浄する及び／又は研磨粉（４０）によって指の爪（４４）の表面を粗面処理する（ｒｏｕｇｈｅｎｉｎｇ）ことができる。
【図面の簡単な説明】
【０００９】
【図１】図１は、本考案の１つの実施形態による、指の爪を洗浄する機器の断面図である。
【図２】図２は、図１の指の爪を洗浄する機器の平面図である。
【図３】図３は、図１の指の爪を洗浄する機器の正面斜視断面図である。
【図４】図４は、図１の指の爪を洗浄する機器の平面斜視断面図である。
【図５】図５は、液体ディスペンサーも含む、図１の指の爪を洗浄する機器を描写する。
【００１０】
図面が必ずしも正寸ではないことを理解されたい。
【考案を実施するための形態】
【００１１】
用語「研磨粉」は、本考案において、材料の小さな粒子、しばしば、研磨を介してワークピース（ｗｏｒｋｐｉｅｃｅ）を形作る又は仕上げるために使用される、アルミナなどの鉱物を指す。本考案のためのワークピースは、指の爪である。
【００１２】
用語「研摩剤の吹き付け加工（ａｂｒａｓｉｖｅ ｂｌａｓｔｉｎｇ）」または「砂の吹き付け加工（ｓａｎｄ ｂｌａｓｔｉｎｇ）」は、本考案において、粗表面を滑らかにする、滑らかな曲面を粗くする、表面を形作る、あるいは表面汚染物を取り除くために、高圧下で表面に対して研磨粉の流れを強制的に推進する操作を指す。加圧流体、典型的に空気は、研摩剤を推進するために一般に使用される。
【００１３】
図１は、本考案の１つの実施形態による、指の爪を洗浄する機器の断面図である。
【００１４】
本考案による指の爪を洗浄する機器（１０）は、研摩剤の吹き付け加工によって指の爪（４４）を洗浄する。コンプレッサー（２２）は、ノズル（３０）から指の爪（４４）への研磨粉（４０）の噴射（４２）を行う。
【００１５】
コンプレッサー（２２）は、ベンチュリの原理を使用して、加圧式吹き付け装置または吸引式（サイフォン）吹き付け装置（両方ともｈｔｔｐ：／／ｅｎ．ｗｉｋｉｐｅｄｉａ．ｏｒｇ／ｗｉｋｉ／Ａｂｒａｓｉｖｅ＿ｂｌａｓｔｉｎｇに記載される）のいずれかによって研磨粉（４０）を吹き付け得る。
【００１６】
研磨粉（４０）は、噴射（４２）によって指の爪（４４）を擦った後に、矢印によって描写されるように、クローズドコース（ｃｌｏｓｅｄ ｃｏｕｒｓｅ）によって再利用されるために、指の爪（４４）の下に配置された穿孔を通って下に落ち得る。
【００１７】
指の爪（４４）上への研磨粉（４０）の噴射（４２）の吹き付け作用は、「洗浄（ｃｌｅａｎ）」のプロセスであり、該プロセスは、閉じられたチャンバー（６０）内で行なわれるため、研磨粉（４０）は分散しない。手（２６）が挿入される、チャンバーの開口部は、手（２６）および手を押す弾性カバー（３２）によって閉じられる。
【００１８】
図２は、図１の指の爪を洗浄する機器の平面図である。
【００１９】
指の爪を洗浄する機器（１０）は、ノズル（３０）が指の爪（４４）上のみに研磨粉の噴射（４２）を行うことを確かなものとするために、ノズル（３０）の移動可能な位置を限定するためのガイド構造を含む。
【００２０】
１つの実施形態によると、ガイド構造は、ノズル（３０）を誘導するための、トラック（１８）を含み、その結果、ノズル（３０）は、それのみに沿った移動に限定される。トラック（１８）は、補助的トラック、すなわち（１８Ａ）、（１８Ｅ）、および他のものであって、その各々によって、ノズル（３０）が１本の指に対して位置付けられることが可能になる、補助的トラック；およびノズル（３０）を１つの補助的トラック（１８Ａ、１８Ｅ）から別の補助的トラックまで誘導するための、主要なサブトラック（５８）を含む。誘導は手動または電動で行われる。
【００２１】
１つの実施形態によると、コンプレッサー（２２）は、補助的トラック（１８Ａ、１８Ｅ）の末端にノズル（３０）を位置付けることによってのみ起動される。
【００２２】
図３は、図１の指の爪を洗浄する機器の正面斜視断面図である。
【００２３】
トラック（１８）が実際にノズル（３０）を指の爪（４４）にのみ誘導することを確かなものとするために、固定された剛性テンプレート（３８）によって、指の爪（４４）を予め決められた位置にさらに限定し、ユーザーは、この剛性テンプレートに手（２６）を挿入する。指のテンプレート（３８）は、補助的テンプレート、すなわち、（３８Ａ）、（３８Ｅ）、および他のものを含み、その各々は、１本の指をその中に挿入するためのものであり、その結果、指の爪（４４）は外に突出する。テンプレート（３８）は、短い指カバーを有するグローブのように形作られる。
【００２４】
さらに、テンプレート（３８）は、ユーザーの指を保護する。
【００２５】
図４は、図１の指の爪を洗浄する機器の平面斜視断面図である。
【００２６】
トラック（１８）は、指のテンプレート（３８）に対して形作られる且つ配置され、これは、その間で対応させるためであり、その中で、各指の爪（４４）は各補助的トラック（１８Ａ、１８Ｅ）の末端の下に配置される。
【００２７】
図５は、液体ディスペンサーも含む、図１の指の爪を洗浄する機器を描写する。
【００２８】
指の爪を洗浄する機器（１０）は、指の爪上のラッカー（５２）または任意の他の液体を正確に分配するための、ラッカーディスペンサー（ｌａｃｑｕｅｒ ｄｉｓｐｅｎｓｅｒ）または任意の他の液体ディスペンサーを含んでもよい。
【００２９】
コンプレッサー（２２）は、パイプ（１６）を介してノズル（３０）に接続されるが、一方で、第２コンプレッサー（５０）または手動ポンプを構成し得る、液体ディスペンサー（５０）は、第２パイプ（５６）を通して、ネイルラッカー（５２）または他の液体あるいはマニキュア液をノズル（３０）に分配し得る。トラック（１８）内を移動するノズル（３０）は、液体（５２）を指の爪の上に正確に分配し得る。
【００３０】
別の実施形態によると、ノズル（３０）のハンドル（１２）は、第２ノズル（５４）をトラック（１８）の中に挿入するために、トラック（１８）から取り除かれてもよい。
【００３１】
本考案の図面及び／又は記載において、以下の参照符号（参照符号リスト）が言及されている：
−  符号１０は、本考案の１つの実施形態による、指の爪を洗浄する機器を示す；
−  符号１２は、ノズルのハンドルを示す；
−  符号１４は、コンプレッサーを起動するためのスイッチを示す；
−  符号１６は、パイプを示す；
−  符号１８は、トラックを示す；
−  符号１８Ａおよび１８Ｅは、補助的トラックを示す（その各々は１本の指に対応する）；
−  符号２０は、漏斗形チャンバーの支持のための、脚部を示し；チャンバーは、再利用のために、ユーザーの手の下で、穿孔を通ってチャンバーの底部に落ちる研磨粉を収集するように形作られる；
−  符号２２は、研磨粉を吹き付けるためのコンプレッサーを示す；
−  符号２６は、ユーザーの手を示す；
−  符号３０は、研磨粉の噴射を行うためのノズルを示す；
−  符号３２は、研磨粉の出射を防ぐためのサイドカバーとしても機能し得る、手に対する支持要素を示す；
−  符号３８は、指の爪を晒すための及び手の他の領域を保護するための、指のための短いスリーブを有するグローブを示し；１つの実施形態によると、グローブは、各指の爪を限定された位置に限定するために、剛性である且つ固定されており、これによって、研摩剤の吹き付け加工およびラッカー／マニキュア液の分配の正確な位置が確かなものとなる；
−  符号４０は、砂、アルミナまたは他のものなどの研磨粉を示す；
−  符号４２は、研磨粉の噴射を示す；
−  符号４４は、指の爪を示す；
−  符号４８は、液体ディスペンサーを起動するためのスイッチを示す；
−  符号５０は、液体ディスペンサーを示す；
−  符号５２は、マニキュア液または他の液体を示す；
−  符号５４は、別のノズルを示す；
−  符号５６は、別のパイプを示す；
−  符号５８は、ノズルを誘導するための、トラックの主要なサブトラックを示す；
−  符号６０は、チャンバーを示す。
【００３２】
上に定義されている、および請求項で使用されているあらゆる用語は、この定義に従って解釈されるべきである。
【００３３】
請求項での参照符号は、請求項の一部分ではないが、むしろその読み取りを促進するために使用される。これらの参照符号は、任意の形態の請求項を限定するように解釈されるべきではない。
【図１】
0003195361.tif 000003
【図２】
0003195361.tif 000004
【図３】
0003195361.tif 000005
【図４】
0003195361.tif 000006
【図５】
0003195361.tif 000007